(57)【特許請求の範囲】
【請求項１】
映像や音声、ＣＧ画像、静止画像を含む複数のオブジェクトから構成されるオーディオビジュアルデータを放送局から放送して広告を行う方法であって、
前記放送局が、番組本編部分を構成するオブジェクトと、広告部分を構成するオブジェクトとをそれぞれ分解して放送し、
前記放送局が、前記オブジェクトを任意に選択して合成し一つのオーディオビジュアルデータを形成する方法を記述したシーン記述データを放送し、
受信機が、前記シーン記述データに従って、前記合成されたオーディオビジュアルデータを出力し、
前記放送局が、前記放送局によって放送されている番組についてリアルタイムに算出された視聴率を含む視聴価値に応じて、前記シーン記述データの内容を、番組本編部分を構成するオブジェクトのみの合成か、番組本編部分を構成するオブジェクトと広告部分を構成するオブジェクトとの合成かに随時変更することを特徴とする広告方法。
【請求項２】
請求項１に記載の広告方法において、
前記放送局が、前記広告部分のオブジェクトを合成した時間と前記視聴価値とに応じて、合成した該広告の広告料を課金することを特徴とする広告方法。
【請求項３】
請求項１又は２に記載の広告方法において、
前記放送局が、前記受信機において視聴者が視聴した番組の時間帯及びチャンネルの履歴である視聴傾向と、前記受信機に入力された、前記視聴者の嗜好を含む個人情報とを、前記受信機より取得し、
前記放送局が、前記視聴率と取得された前記視聴傾向と前記個人情報とに応じて前記シーン記述データの内容を変更することを特徴とする広告方法。
【請求項４】
請求項１乃至３のいずれかに記載の広告方法において、
前記放送局が、前記受信機側に暗号化されたシーン記述データを送信し、
前記放送局が、前記受信機側に前記暗号化を解除する鍵情報を送信し、
前記受信機が、前記鍵情報により解除されたシーン記述データを用いることを特徴とする広告方法。
【請求項５】
映像と音声、ＣＧ画像、静止画を含む複数のオブジェクトから構成されるオーディオビジュアルデータを放送局から放送して広告を行う広告放送システムであって、
番組本編部分を構成するオブジェクトと、広告部分を構成するオブジェクトとをそれぞれ分解して送出するオブジェクト送出部と、
前記各オブジェクトを任意に選択して合成し一つのオーディオビジュアルデータを形成する合成パターンを記述したシーン記述データを送出するシーン記述データ送出部と、
前記放送局によって放送されている番組についてリアルタイムに算出された視聴率を含む視聴価値に応じて、前記シーン記述データの内容を、番組本編部分を構成するオブジェクトのみの合成か、番組本編部分を構成するオブジェクトと広告部分を構成するオブジェクトとの合成かに随時変更する制御部とを有することを特徴とする広告放送システム。
【請求項６】
請求項５に記載の広告放送システムにおいて、
前記広告部分のオブジェクトを合成した時間と前記視聴価値とに応じて、合成した該広告の広告料を課金する課金システムを有することを特徴とする広告放送システム。
【請求項７】
請求項６に記載の広告放送システムにおいて、
前記シーン記述データを受信し、前記シーン記述データに記述された合成パターンに従って前記オブジェクトを合成し、オーディオビジュアルデータを表示する受信機を備え、
前記放送局は、前記受信機に対して、該受信機が選択すべき前記合成パターンを設定することを特徴とする広告放送システム。
【請求項８】
請求項７に記載の広告放送システムにおいて、
前記放送局は、
受信機側に暗号化されたシーン記述データを送信するとともに、受信機側に前記暗号化を解除する鍵情報を送信し、
前記受信機は、
前記鍵情報により解除されたシーン記述データを用いることを特徴とする広告放送システム。
【発明の詳細な説明】
【０００１】
【発明の属する技術分野】
本発明は、映像と音声等の複数のオブジェクトから構成されるオーディオビジュアルデータを放送局から放送して広告を行う広告方法及び広告放送システムに関する。
【０００２】
【従来の技術】
従来、ＴＶ広告放送では、番組の合間に広告を挿入できる時間枠（広告枠）を設け、この時間枠に広告を放送する方式が一般的であり、挿入された広告に対する広告料は、挿入された回数や時間帯に応じて設定している。
【０００３】
ところが、最近にあっては、ＰＤＲ（パーソナルディスクレコーダー）と呼ばれるハードディスク等のランダムアクセス可能な蓄積装置を具備した受信機が開発され話題を集めている。このＰＤＲを用いれば、広告枠だけをとばして視聴することも可能になるため、ＴＶ広告放送の効果の低下が危惧される。
【０００４】
このようなＣＭ飛ばし視聴への対策の１つとして、番組を構成する画面の一部に広告をはめ込む等の手段を用いて、番組と広告を選別視聴できなくする方法や視聴者のニーズに適合した広告を選別して付加することにより広告とばし視聴を抑制する方法が考えられる。
【０００５】
【発明が解決しようとする課題】
しかしながら、安易に番組と広告を合成すれば、本来の番組の魅力が低下することによる視聴者離れを引き起こす可能性があり、一方、広告としても番組内では表示方法等が制約されるため十分な効果が得られず、結果として広告価値の低下を招く虞れがある。
【０００６】
ところで、上記のＣＭ飛ばし視聴問題は、ＴＶコマーシャルが視聴者にとって不必要であることを前提にしているが、実際には、自分の興味にある分野のＣＭ等は貴重な情報ソースであり、そういう意味で番組と同様に魅力あるコンテンツでもある。
【０００７】
ところが、このような視聴者側の要求は様々であり、従来のＴＶ広告放送では、個々の視聴者に個別に対応することはできないために、個々の視聴者にとっては全く不必要なものも含まれ、ＣＭは煩わしいものという印象を与えていた。
【０００８】
そこで、本発明は、視聴者の嗜好等の個人情報に合わせて表示する広告を選定できる技術を開発し、上記のようにＣＭによる番組への魅力低下を防ぐと共に、同時に、広告の訴追効果を向上させることを目的としている。
【０００９】
【課題を解決するための手段】
本願に係る発明は上記課題を解決すべくなされたものであり、放送局から広告を放送する広告方法であって、番組の本編部分のソースと、広告部分の複数のソースとを放送し、前記広告部分の複数のソースのうち、任意のソースを受信機側で選択し、この選択された広告部分のソースと、前記本編部分のソースとを画面に同時に表示させるものである。
【００１０】
ここで広告部分のソースを複数放送する方式としては、ＢＳデジタル放送におけるマルチビューテレビによるものや、データ放送によるもの、MPEG4方式によるものが挙げられる。
【００１１】
マルチビューテレビでは、１業者が最大３チャンネルの標準テレビジョン放送を行うことができ、３チャンネルのうち１つをメインサービスとし、その他をサブサービスとして広告を放送し、受信機側でメインサービスとサブサービスを１画面に合成して表示することができる。これにより、本編部分（或いはメイン広告）と複数サブ広告とをマルチビューテレビにより同時放送し、受信側の個別情報による選択表示を可能とする。
【００１２】
データ放送では、通常番組が表示される動画プレーン以外に、静止がプレーンや文字図形プレーン、字幕プレーンを装備することができ、受信機側でこれらのプレーンを合成表示する。これにより、通常のメインサービスに加え、データ放送により本編部分とサブ広告を同時放送し、受信側の個別情報により選択・合成する。
【００１３】
MPEG4方式では、番組を構成する動画像やオーディオなどの複数メディアオブジェクト（オーディオやビデオ動画等に加えＣＧや静止画を含む）の符号化ストリームとを送信し、受信側でシーン記述に従って各メディアオブジェクトを合成表示する。これにより、番組を本編と複数ＣＭとで別々のメディアオブジェクトストリームとして符号化し、受信側で選定した本編とＣＭからなるメディアオブジェクトを復号化し合成表示する。
【００１４】
そして、このような本発明によれば、番組の本編部分と広告部分とが合成されて出力されるため、ＣＭのみを早送りして視聴するいわゆるＣＭとばしを防止することができる。
【００１５】
特に、本発明では、番組内容の視聴価値を分析し、視聴者毎にＣＭを選択して放送した場合には、視聴者に対しては、放送される広告が視聴者の嗜好に合っていることが保証され、ＣＭ飛ばしを誘起することは少なくなり、また、番組と合成したとしても、番組の魅力を損なうことも少なくなると期待される。
【００１６】
一方、番組のスポンサーに対しては、必要な視聴者にターゲットを絞られているために、ＣＭをより効果的にすることができるメリットがある。さらに、放送局にとっては、どのような視聴者にＣＭがどの程度視聴されたかを集約することができ、新たな広告価値を明らかにし、広告収益に反映することができる。
【００１７】
なお、本発明において、「視聴価値」とは、瞬間視聴率や番組毎の平均視聴率のほか、年代別や男女の別など視聴者層毎の個別視聴率、番組の展開や出演者、ドラマのストーリーやシーンに基づく内容的価値を含む概念である。
【００１８】
【発明の実施の形態】
［第１実施形態］
（広告放送システムの全体構成）
本発明の実施形態について図面を参照しながら説明する。図１は、本実施形態に係る広告放送システムを示す概略構成図である。
【００１９】
本実施形態に係る広告放送システムでは、映像と音声等の複数のオブジェクト３ａ〜４ｃから構成されるオーディオビジュアルデータをオブジェクト指向符号化方式により放送局２から放送することを前提としている。
【００２０】
ここで、オブジェクト指向符号化方式とは、放送するオーディオビジュアルデータをオブジェクト（領域）毎に分解し、オブジェクト毎に、その形状（位置も含む）と絵柄（テキスチャー）を、用途に応じてさまざまな符号化手法を自由に組み合わせて用いるという考え方に基づくものであり、分解された複数のオブジェクト（自然動画、ＣＧ動画、シンセサイザー音等）をそれぞれの方式で復号し、重ね合わせて処理する。このオブジェクト指向符号化方式としては、現在ではMPEG4方式が知られている。この方式では、例えば人物を撮影したビデオ映像であれば、顔画像と背景画像とに分解し、それぞれに適した方法で符号化して送信することにより符号化効率や見かけの品質を向上することができる。
【００２１】
そして、このような方式を前提として、本実施形態では、番組本編部分を構成するオブジェクトを分解オブジェクト３ａ及び３ｂに分解し、広告部分を構成するオブジェクトを分解オブジェクト４ａ〜４ｃにそれぞれ分解して放送する。
【００２２】
また、本実施形態では、これらの各分解オブジェクト３ａ〜４ｃと併せてシーン記述データ２１ａ〜２１ｃも放送する。
【００２３】
このシーン記述データ２１ａ〜２１ｃは、図２に示すように、各分解オブジェクト３ａ〜４ｃ及びオーディオＡ〜Ｃを任意に選択して合成し、一つのオーディオビジュアルデータを形成する方法を記述したデータであり、分解されたオブジェクトのいずれを組み合わせるかに付いての記述がされている。
【００２４】
例えば、本実施形態では、シーン記述データ２１ａには、本編の基本部分を分離した分解オブジェクト３ａとＣＭの分解オブジェクト４ａとを組み合わせる旨が、シーン記述データ２１ｂには分解オブジェクト３ａと、ＣＭ部分の分解オブジェクト４ｂとを組み合わせる旨が、シーン記述データ２１ｃには、分解オブジェクト３ａとＣＭ部分の分解オブジェクト４ｃとを組み合わせる旨が記述されている。
【００２５】
そして、受信機１では、シーン記述データ２１ａ〜２１ｃのうちいずれかを選択し、選択したシーン記述データに従って分解オブジェクトを選定し、組み合わせて合成し、表示画面１ａに一つのオーディオビジュアルデータとして表示する。一方、放送局２は、各受信機に対していずれのシーン記述データを選択すべきかを設定することができる。この設定は、各受信機に対する個別の通信手段を通じて、後述する視聴者管理手段１１が行う。なお、本実施形態では、分解オブジェクトの全ての組み合わせについて、シーン記述データを作成せず、シーン記述データのない場合には、デフォルト設定となっている組み合わせ（例えば、基本部分３ａ＋背景部分３ｂ）が表示される。
【００２６】
（放送局２の構成）
上述した本実施形態に係る広告放送システムにおいて、放送局２は、以下の構成を有している。図２は、放送局２の全体構成を示すブロック図である。
【００２７】
同図に示すように、放送局２は、番組本編部分を構成するオブジェクト送出する本編オブジェクト送出部６と、ＣＭ部分を構成するオブジェクトとを送出するＣＭオブジェクト送出部７と、シーン記述データ送出部８と、各送出部６〜８の制御を行う制御部と、各送出部６〜８から送出されたデータを電波塔１ａを通じて送信する送信システム９とを備えている。
【００２８】
制御部５は、本編オブジェクト送出部６が送出している番組本編の内容をモニターしたり、ＣＭとして放送するＣＭオブジェクトを番組のスポンサーに応じて選択したり、本編部分にＣＭ部分を合成するタイミングを指示するキュー信号をシーン記述データ送出部８に送信したりする機能を備えている。
【００２９】
本編オブジェクト送出部６は、番組本編を、例えば基本部分と背景部分の分解オブジェクト３ａ及び３ｂに分解し、それぞれの敬樹とテクスチャーを符号化し送信システム９に送出するものである。
【００３０】
また、ＣＭオブジェクト送出部７は、複数種類のＣＭを、例えば上記の拝啓部分の形状に加工し、その形状とテクスチャーを符号化して送信システム９に送出するものである。
【００３１】
シーン記述データ送出部８は、組み合わせる本編やＣＭなどのメディアオブジェクト指すIDとその合成タイミングや合成位置を記述したシーン記述データを複数生成して送信システム９に送出する。なお、このシーン記述データは、合成するメディアオブジェクトとその合成タイミングや位置を各ノードに記載したツリー状構造を有する単一のものとしてもよい。
【００３２】
また、このシーン記述データ送出部８は、制御部５からの制御信号に基づいて各シーン記述データの内容を変更する機能も備えている。例えば、平常時にあっては、全てのシーン記述データ２１ａ〜２１ｃについて、本編基本部分の分解オブジェクト３ａと背景部分の分解オブジェクト３ｂとを組み合わせる旨の記述をするが、制御部５からのキュー命令により、背景部分の分解オブジェクト３ｂに代えてＣＭの分解オブジェクト４ａ〜４ｃに差替える旨の記述を行う。
【００３３】
また、本実施形態に係る放送局２は、各受信機から情報を取得し、視聴者を管理する視聴者管理部１１を備えている。この視聴者管理部１１は、受信機からの信号を受信することによりリアルタイムに視聴率を監視する視聴率取得部１１ａと、各受信機を利用している視聴者の視聴傾向を分類する視聴者分析部１１ｂを備えている。また、この視聴者管理部１１は、個別の通信回線を通じて、各受信機に対していずれのシーン記述データを選択するかの設定を行う。
【００３４】
視聴率取得部１１ａは、各受信機からの信号を受信し、どの受信機が現在どのチャンネルを表示しているかを取得して、チャンネル毎の視聴率を算出し、その算出結果を統計演算部１０に送出する。
【００３５】
視聴者分析部１１ｂは、各受信機において表示されている時間帯及びチャンネルの履歴を取得し視聴者データベース２１に蓄積する。そして、蓄積されたデータを解析することにより当該受信機を利用している視聴者の視聴傾向を分類する。この解析としては、例えばどの時間帯に多く視聴しているか、どのような俳優が出演している番組を多く視聴しているか、或いはどのような趣味に関係する番組を定期的に視聴しているかなどに基づいて行う。表１は、視聴者分析部１１ｂによる分析内容を示す表である。
【００３６】
【表１】
0004499905.tif 000002
表１に示すように、受信機Ａでは、２０時以降に多く受信する傾向があり、また、女優△△△子が出演している番組を多く視聴し、さらに競馬や特定チームの野球中継等を多く視聴している。また、子供番組はほとんど視聴されていない。これらの結果から、視聴者分析部１１ｂは、受信機Ａの利用者は、２０代程度の男性のみであり、独身或いは少なくとも子供はいない可能性が高いと分類する。
【００３７】
一方、受信機Ｂでは、９時以降には、野球中継や女優が出演している番組を視聴し、株式関係や釣り関係の番組を視聴していることから利用者には勤め人の男性が含まれていると判断される。また、１４時などの日中に料理番組が視聴されていることから、利用者の中には女性が含まれている可能性があると判断される。さらには、夕方などにアニメ番組などの子供対象の番組が視聴されていることから、６才未満の子供も利用者に含まれている可能性があると判断される。
【００３８】
また、図２に示すように、本実施形態に係る放送局２は、現在どのような視聴者層が視聴しているかを演算する統計演算部１０を有している。この統計演算部１０は、視聴率取得部１１ａが取得した現在の視聴率と、視聴者データベース１２に蓄積された情報とから、現在どのような視聴者層がどの程度の分布状態で視聴しているかを演算し、その演算結果を制御部５に送出する。
【００３９】
さらに、本実施形態では、放送したＣＭに対する広告料を算出する課金システム１３を備えている。この課金システム１３は、本実施形態では、制御部５から取得される情報に基づいて、どのＣＭを何秒間、どの受信機に対して放送したかを判断し、広告部分の分解オブジェクト４ａ〜４ｃを合成した時間と、その視聴率とに応じて広告料を課金する。なお、本実施形態では、視聴者データベース１２に蓄積された視聴傾向に関する情報に基づいて、どのような視聴者層にどのＣＭを放送したかも勘案して課金する機能も備えている。
【００４０】
（広告放送システムを用いた広告方法）
以上の構成を有する本実施形態に係る広告放送システムでは、以下の手順により広告方法を行う。
【００４１】
先ず、本編オブジェクト送出部６により本編部分のオブジェクトを送信システム９を通じて放送する。各受信機は、オブジェクトを受信し、所定の方式に従って復号し本編を表示するとともに、どのチャンネルを受信しているかのデータを視聴者管理部１１に送信する。
【００４２】
視聴率取得部１１ａでは、このデータに基づいて、本放送局２が放送している番組の視聴率をリアルタイムに算出し、統計演算部１０に送出する。また、これと併せて、視聴者分析部１１ｂは、視聴履歴を視聴者データベース１２に蓄積する。統計演算部１０は、視聴率取得部１１ａが取得した視聴中の受信機を監視し、各受信機の現在の時間帯における視聴傾向を視聴者データベース１２から取得し、全体の視聴率と、どのような視聴傾向の視聴者が現在視聴しているかの分布を算出し、その演算結果を制御部５に送出する。
【００４３】
そして、制御部５では、この演算結果に基づいてキュー信号を出すタイミングを決定する。表２は、統計演算部１０の演算結果を例示する表である。
【００４４】
【表２】
0004499905.tif 000003
なお、ここでは野球中継の本編放送中に自動車のＣＭを挿入する場合を例示して説明する。
【００４５】
表２に示すように、全体の視聴率は２１％であり、その視聴者の部分布は、４０代以上の男性が４０％、子持ちの３０代の男性が３０％、子供のいない３０代及び２０代以下の男性が３０％となっている。
【００４６】
制御部５は、これらの統計に基づいて、４０代以上の男性に対してはセダン車のＣＭ−Ａを、子持ちの３０代の男性に対してはワンボックス車のＣＭ−Ｂを、子供のいない３０代及び２０代以下の男性に対してはスポーツ車のＣＭ−Ｃを挿入するようにＣＭオブジェクト送出部７に指示する。
【００４７】
そして、制御部５は、本編オブジェクト送出部６をモニターすることにより、番組の内容に従ってＣＭを挿入するタイミングを測り、ＣＭを挿入してもよい場面になったときに、ＣＭオブジェクト送出部７に及びシーン記述データ送出部８にキュー信号を出す。
【００４８】
このキュー信号に応じてシーン記述データ送出部８では、各シーン記述データの内容を変更する。ここでは、シーン記述データ２１ａにはＣＭ−１を挿入するように、シーン記述データ２１ｂにはＣＭ−Ｂを挿入するように、シーン記述データ２１ｃにはＣＭ−Ｃを挿入するように変更する。また、ＣＭオブジェクト送出部７は、ＣＭ−Ａ、ＣＭ−Ｂ、ＣＭ−Ｃのオブジェクトを送出する。
【００４９】
各受信機側では、自己が選択しているシーン記述データに応じて、本編の背景部分のメディアオブジェクトデータに代えてＣＭ部分のオブジェクトデータを合成して、一つのオーディオビジュアルデータとして表示する。
【００５０】
また、このとき制御部５は、課金システム１３に対して、どのＣＭを何秒間どの受信機に対して放送したかを通知する。課金システム１３では、この通知と視聴者データベース１２の情報に基づいて、どのような視聴率の時に、どのような視聴者層に何秒間、どのＣＭを放送したかに基づいて広告主に対する広告料を算出する。
【００５１】
（広告放送システムによる効果）
このような本実施形態に係る広告放送システムによれば、受信側では、放送されてきた複数のシーン記述の中から、視聴者にとって相応しいシーン記述とそれを構成するメディアオブジェクトを選択して、本編とＣＭとを一つのオーディオビジュアルデータとして表示することができる。従って、本編とＣＭとが有機的に一体をなして表示されるため、ＣＭをとばして視聴されることを防止できる。
【００５２】
また、本実施形態では、視聴者の視聴傾向を分析して視聴者毎にＣＭを選択して放送するため、視聴者に対しては、放送される広告が視聴者の嗜好にあっていることが保証され、ＣＭ飛ばしを誘起することは少なくなり、また、番組と合成したとしても、番組の魅力を損なうことも少なくなると期待される。一方、番組のスポンサーに対しては、必要な視聴者にターゲットを絞られているために、ＣＭをより効果的にすることができるメリットがある。さらに、放送局にとっては、どのような視聴者にＣＭがどの程度視聴されたかを集約することができ、新たな広告価値を明らかにし、広告収益に反映することができる。
【００５３】
また、歌番組において化粧品とゴルフクラブのＣＭを挿入する場合を例示して説明する。スポンサーは２０代女性向けの化粧品メーカーと中高年を中心ターゲットとしているゴルフメーカーである。この場合、化粧品の広告料は２０代女性の視聴率のみとその表示時間に応じて課金される契約になっており、またゴルフクラブは２０代〜５０代の全年齢をターゲットとするが４０〜５０代男性の視聴率に大きな重み付けがなされているとする。
【００５４】
若い女性の視聴率はロックバンドが出演中に４０％に上昇するが、演歌歌手の時間帯には１０％代に低下し、番組平均としては２０％であり、逆に、中高年男性の視聴率はロックバンド出演中には５％程度であったが演歌歌手が登場すると２０％に上昇する傾向がある。
【００５５】
本実施形態において、制御部５は、このような年代別の視聴率の傾向を把握し、上記広告料を最大にするように、ロックバンド出演中に若い女性向けのシーン記述に化粧品のＣＭを合成するように指示し、一方、女性演歌歌手が出演中には中高年向けのシーン記述にはゴルフクラブのＣＭを合成するように指示する。
【００５６】
このような視聴層別ＣＭが可能になることで、効果的に広告料を徴収できるだけでなく、本来ならば広告料に関しては無意味であった２０代女性以外の視聴者への化粧品ＣＭを避けることができ、ＣＭによる番組視聴率の低下を防ぐ効果も期待できる。
【００５７】
（変更例）
なお、本実施形態では、複数のシーン記述を放送して、受信機側で選択するようにしたが、本発明はこれに限定されるものではない。例えば、図４に示すように、シーン記述として、ツリー状に配置された様々なノードの集合で構成し、複数の本編とＣＭの合成パターンを１つのツリーで表現したシーン記述２２を用いることもできる。この場合には、受信機では、ユーザー動作や個別情報等に基づいて、ツリー状のシーン記述におけるルート（経路）を選定し、合成パターンを選択する。
【００５８】
［第２実施形態］
次いで、本発明の第２実施形態について説明する。図３は、第２実施形態に係る広告放送システムの全体構成を示すブロック図である。
【００５９】
本実施形態においても、映像と音声等の複数のオブジェクト３ａ〜４ｃから構成されるオーディオビジュアルデータをオブジェクト指向符号化方式により放送局２から放送し、シーン記述データ２１ａ〜２１ｃにより各分解オブジェクトの組み合わせを指示することを前提としている。
【００６０】
上述した第１実施形態では、視聴者管理部１１により各受信機の視聴傾向を分析し、複数放送しているシーン記述データ２１ａ〜２１ｃのうちいずれを選択するかについて、視聴者管理部１１からの信号により設定していたが、本実施形態では、受信機の視聴者が自己の操作により選択することを特徴とする。本実施形態では、この選択方式として以下の２つが設けられている。
【００６１】
（列挙表示方式）
この列挙表示方式では、受信機１に、放送されている１つ以上のシーン記述データについて、その特徴を列挙表示して視聴者の選択を要求し、視聴者によって１つのシーンを決定する機能を設け、同時に、選択されたシーン記述を特定できる情報を受信機に記憶して、放送局に自動送信することにより、放送局がＣＭの選択状況を把握できるようにしている。
【００６２】
（個人情報入力方式）
この個人情報入力方式では、受信機１に、視聴者により自分の嗜好等の個人情報を設定できる機能を設け、この個人情報に基づいて放送されているシーンの中から当該視聴者に相応しいシーンを自動決定し、同時に、選択されたシーン記述を特定できる情報と個人情報を放送局に自動送信する。
【００６３】
例えば、歌番組にあっては、番組内であっても常に視聴者は変化しており、このような視聴状況を把握できれば、今までよりも効果的にＣＭを放送することも可能となる。
【００６４】
（広告放送システムの動作）
このような選択方式を有する受信機１を用いた広告放送システムは、以下のように動作する。図４は、本実施形態に係る広告放送システムの動作を示すフロー図である。
【００６５】
同図に示すように、放送局２は、番組本編と複数の広告オブジェクト、及びシーン記述データを作成し、放送する（Ｓ１００）。
【００６６】
受信側１では、列挙表示方式の場合、受信したシーン記述データを抽出し、シーン記述データの内容を画面１ａに列挙表示し（Ｓ１０１）、視聴者に選択を要求する（Ｓ１０２）。一方、個人情報入力方式の場合、予め視聴者が受信機１に個人情報を入力し（Ｓ１０３）、受信したシーン記述を抽出し、入力された個人情報と照合して、適切なシーン記述を自動選定する（Ｓ１０４）。
【００６７】
その後、受信機１は、選択されたシーン記述データに従って、受信した各オブジェクトを組み合わせて合成し、デコードして画面１ａに表示する（Ｓ１０５）。
【００６８】
その際、受信機１は、選択されたシーン記述データを特定できる情報を記憶し、放送局２へ送信する（Ｓ１０６，Ｓ１０７）。送信された選択結果は、放送局２側において、視聴者データベース１２に保存され、これに基づいて統計演算部１０が視聴者の分布を演算し、この演算結果に基づいて制御部５がＣＭオブジェクトの選択及びシーン記述データの変更を行う。また、課金システム１３では、制御部５が放送したＣＭとその秒数、及び視聴者データベース１２の情報に基づいて課金を計算する。
【００６９】
なお、このような個人情報をかってに送信することは、プライバシーの侵害等の社会的な問題も含んでおり、視聴者側の許諾が必須条件となると考えられる。このような場合には、受信機１に、前記自動送信の前に、視聴者に承諾を促すメッセージを表示しる機能を設け、視聴者のアクションを必須にすることで解決できる。
【００７０】
［第３実施形態］
次いで、本発明の第３実施形態について説明する。上述した第２実施形態では、広告の選択状況は放送後でなくては、放送局に集約されず、広告主に対するＣＭ販売段階においては、広告価値を過去の実績としてしか説明できず、実際の視聴状況と広告主、放送局の思惑に乖離が生じる可能性がある。更に効果的な広告とするためには、広告主の思惑に合わせるように放送局によって視聴者の視聴するＣＭを選定できる仕組みが求められる。
【００７１】
そこで、本実施形態に係る広告放送システムにおいては、放送局２において、視聴者により提供された個人情報に基づいて適当なシーンを視聴者毎に選定し、その視聴者宛に選定したシーン記述とそれを構成するメディアオブジェクトに対する鍵情報を含む個別情報を送信し、受信機１において、自分宛の個別情報で指定されたシーン記述とそれを構成するメディアオブジェクトをデスクランブルして表示することを特徴としている。
【００７２】
鍵情報とは、スクランブルを解除するためのパスワード等の暗号であり、これを受信機１に入力することにより、特定のシーン記述データのみ表示させることができるようにするものである。
【００７３】
また、かかる個人情報の登録は、Ｅメールやインターネットを用いるか、或いは、はがき１ｂによる送付、電話回線１ｃや無線回線１ｄによっておこなうことができる。
【００７４】
（広告放送システムの動作）
そして、このような構成の本実施形態に係る広告放送システムは、以下のように動作する。図５は、本実施形態に係る広告放送システムの動作を示すフロー図である。
【００７５】
同図に示すように、放送局２は、番組本編のオブジェクトと、複数の広告オブジェクト、及びシーン記述データを作成し、スクランブルを施して放送している（Ｓ２００）。視聴者は、電子メールや電話回線、インターネット等を用いて放送局２の視聴者データベース１２に個人情報を登録する（Ｓ２０１，Ｓ２０２）。放送局２では、個人情報により視聴者ごとに好みの広告を含むシーン記述を選定する（Ｓ２０３）。
【００７６】
次いで、放送局２側では、選定されたシーン記述に対応した鍵情報を含む個別情報を作成し、放送するか、或いは個別情報をメール等により視聴者に送信する（Ｓ２０４〜Ｓ２０６）。個別情報が放送される場合には自分宛の個別情報を受信機１により抽出する（Ｓ２０７）。
【００７７】
受信機側では、取得した鍵情報を用いてシーン記述データ及びメディアオブジェクトに対するスクランブルを解除し（Ｓ２０８）、選択されたシーン記述データに従ってオブジェクトをデコードして画面に表示する（Ｓ２０９）。
【００７８】
なお、本実施形態においては、図３に示すように、放送局等から特定の視聴者に対して、鍵情報を含む個別情報をＣＤ−ＲＯＭ２１等パッケージメディアにより配布することができる。
【００７９】
この場合には、受信機１は、ＣＤ−ＲＯＭドライブ等のインタフェースを具備していることを前提とし、配布されたＣＤ−ＲＯＭ２１等から個別情報を読み込み、指定されたシーン記述とそれを構成するメディアオブジェクトをデスクランブルして表示する。このようなパッケージメディアによる配布方法によれば、放送局２だけでなく、広告主が商品販売の付録として配布したり、或いは、雑誌等の他のメディアに添付して配布等の新たな連携が可能となる。
【００８０】
（変更例）
なお、本実施形態では、シーン記述とメディアオブジェクトの両方にスクランブルをかけるようにしたが、本発明はこれに限定されるものではなく、シーン記述のみにスクランブルをかけ、有料によりデスクランブルを行うようにして、所定の料金を支払った者に対してのみ、特定の内容の番組やＣＭを視聴させるようにしてもよい。
【００８１】
【発明の効果】
以上説明したように本発明の広告方法及び広告放送システムによれば、いわゆるＣＭとばしを防止するとともに、視聴者の嗜好等の個人情報に合わせて表示する広告を選定できる技術を開発し、上記のようにＣＭによる番組への魅力低下を防ぐと共に、同時に、広告の訴追効果を向上させることができる。
【図面の簡単な説明】
【図１】本発明の第１実施形態に係る広告放送システムの概略構成を示すブロック図である。
【図２】第１実施形態に係る広告放送システムにおけるシーン記述データの説明図である。
【図３】第１実施形態に係る広告放送システムにおける放送局２の概略構成を示すブロック図である。
【図４】第１実施形態の変更例に係る広告放送システムにおけるシーン記述データの説明図である。
【図５】本発明の第２実施形態及び第３実施形態に係る広告放送システムの概略構成を示すブロック図である。
【図６】本発明の第２実施形態に係る広告放送システムの動作を示すフロー図である。
【図７】本発明の第３実施形態に係る広告放送システムの動作を示すフロー図である。
【符号の説明】
１…受信機、２…放送局、３ａ〜３ｂ…本編部分メディアオブジェクト、
４ａ〜４ｃ…ＣＭ部分メディアオブジェクト、２１ａ〜２１ｃ…シーン記述データ
【図１】
0004499905.tif 000004
【図２】
0004499905.tif 000005
【図３】
0004499905.tif 000006
【図４】
0004499905.tif 000007
【図５】
0004499905.tif 000008
【図６】
0004499905.tif 000009
【図７】
0004499905.tif 000010